【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
入力した画像を、予め決められた条件に従って複数の被写体領域に分割する分割手段と、
前記分割した各被写体領域の輝度の分布に基づいて、前記画像の輝度を複数の輝度領域に分割し、前記複数の被写体領域のうち、前記分割した各輝度領域に対応する１つの被写体領域の代表輝度値に基づいて、前記輝度領域ごとに第１のゲインを算出する算出手段と、
前記複数の被写体領域のうち、前記輝度領域ごとに、対応する前記１つの被写体領域の輝度の分布と、当該輝度領域以外の少なくとも１つの輝度領域に対応する少なくとも１つの別の被写体領域の輝度の分布とに基づいて、前記第１のゲインを補正して、前記輝度領域ごとに第２のゲインを求める補正手段と、
前記第２のゲインを用いて、前記画像の輝度を変換する変換手段と
を有することを特徴とする画像処理装置。
【請求項２】
前記算出手段は、前記第１のゲインとして、前記分割した各輝度領域に対応する前記１つの被写体領域の代表輝度値を予め決められた輝度に変換するゲインを算出することを特徴とする請求項１に記載の画像処理装置。
【請求項３】
前記複数の輝度領域は、前記複数の被写体領域のうち、最も低い代表輝度値を有する被写体領域に対応する低輝度領域を含み、
前記補正手段は、前記別の被写体領域に含まれる画像信号のうち、前記低輝度領域の輝度を有する画像信号の割合に基づいて、前記第１のゲインを補正し、
前記割合が予め決められた閾値よりも高い場合に、該閾値以下の場合よりも前記第１のゲインを小さくすることを特徴とする請求項１または２に記載の画像処理装置。
【請求項４】
前記補正手段は、更に、前記低輝度領域に対応する前記１つの被写体領域の輝度と、前記別の被写体領域の輝度との差に基づいて、前記第１のゲインを補正し、
前記差が予め決められた閾値よりも大きい場合に、該閾値以下の場合よりも、前記第２のゲインの下限を小さくすることをすることを特徴とする請求項３に記載の画像処理装置。
【請求項５】
前記複数の輝度領域は、前記複数の被写体領域のうち、最も高い代表輝度値を有する被写体領域に対応する高輝度領域を含み、
前記補正手段は、前記別の被写体領域に含まれる画像信号のうち、前記高輝度領域の輝度を有する画像信号の割合に基づいて、前記第１のゲインを補正し、
前記割合が予め決められた閾値よりも高い場合に、該閾値以下の場合よりも前記第１のゲインを大きくすることを特徴とする請求項１乃至４のいずれか１項に記載の画像処理装置。
【請求項６】
前記補正手段は、更に、前記高輝度領域に対応する前記１つの被写体領域の輝度と、前記別の被写体領域の輝度との差に基づいて、前記第１のゲインを補正し、
前記差が予め決められた閾値よりも大きい場合に、該閾値以下の場合よりも、前記第２のゲインの上限を大きくすることをすることを特徴とする請求項５に記載の画像処理装置。
【請求項７】
前記被写体領域は、少なくとも人物領域、背景領域、空領域を含むことを特徴とする請求項１乃至６のいずれか１項に記載の画像処理装置。
【請求項８】
前記補正手段は、更に、前記複数の被写体領域の優先度を決定し、該優先度に基づいて、前記第２のゲインを求めることを特徴とする請求項１乃至７のいずれか１項に記載の画像処理装置。
【請求項９】
前記補正手段は、前記複数の被写体領域それぞれの面積に基づいて前記優先度を決定することを特徴とする請求項８に記載の画像処理装置。
【請求項１０】
入力した画像を、予め決められた条件に従って複数の被写体領域に分割する分割手段と、
前記被写体領域ごとに、該被写体領域の明るさを所定の明るさに変換する第１のゲインを算出する算出手段と、
前記分割した各被写体領域の輝度の分布に基づいて、前記画像の輝度を複数の輝度領域に分割し、前記複数の輝度領域それぞれと前記複数の被写体領域のいずれかを対応づけ、前記輝度領域ごとに、対応づけられた前記被写体領域の前記第１のゲインを、該被写体領域の輝度の分布と、当該輝度領域以外の少なくとも１つの輝度領域に対応づけられた前記被写体領域の輝度の分布とに基づいて補正し、前記輝度領域ごとに第２のゲインを求める補正手段と、
前記第２のゲインを用いて、前記画像の輝度を変換する変換手段と
を有することを特徴とする画像処理装置。
【請求項１１】
分割手段が、入力した画像を、予め決められた条件に従って複数の被写体領域に分割する分割工程と、
算出手段が、前記分割した各被写体領域の輝度の分布に基づいて、前記画像の輝度を複数の輝度領域に分割する分割工程と、
前記算出手段が、前記複数の被写体領域のうち、前記分割した各輝度領域に対応する１つの被写体領域の代表輝度値に基づいて、前記輝度領域ごとに第１のゲインを算出する算出工程と、
補正手段が、前記複数の被写体領域のうち、前記輝度領域ごとに、対応する前記１つの被写体領域の輝度の分布と、当該輝度領域以外の少なくとも１つの輝度領域に対応する少なくとも１つの別の被写体領域の輝度の分布とに基づいて、前記第１のゲインを補正して、前記輝度領域ごとに第２のゲインを求める補正工程と、
変換手段が、前記第２のゲインを用いて、前記画像の輝度を変換する変換工程と
を有することを特徴とする画像処理方法。
【請求項１２】
分割手段が、入力した画像を、予め決められた条件に従って複数の被写体領域に分割する分割工程と、
算出手段が、前記被写体領域ごとに、該被写体領域の明るさを所定の明るさに変換する第１のゲインを算出する算出工程と、
補正手段が、前記分割した各被写体領域の輝度の分布に基づいて、前記画像の輝度を複数の輝度領域に分割する分割工程と、
前記補正手段が、前記複数の輝度領域それぞれと前記複数の被写体領域のいずれかを対応づける対応づけ工程と、
前記補正手段が、前記輝度領域ごとに、対応づけられた前記被写体領域の前記第１のゲインを、該被写体領域の輝度の分布と、当該輝度領域以外の少なくとも１つの輝度領域に対応づけられた前記被写体領域の輝度の分布とに基づいて補正し、前記輝度領域ごとに第２のゲインを求める補正工程と、
変換手段が、前記第２のゲインを用いて、前記画像の輝度を変換する変換工程と
を有することを特徴とする画像処理方法。
【請求項１３】
コンピュータを、請求項１乃至１０のいずれか１項に記載の画像処理装置の各手段として機能させるためのプログラム。
【請求項１４】
請求項１３に記載のプログラムを記憶したコンピュータが読み取り可能な記憶媒体。
【手続補正２】
【補正対象書類名】明細書
【補正対象項目名】０００７
【補正方法】変更
【補正の内容】
【０００７】
上記目的を達成するために、本発明の画像処理装置は、入力した画像を、予め決められた条件に従って複数の被写体領域に分割する分割手段と、前記分割した各被写体領域の輝度の分布に基づいて、前記画像の輝度を複数の輝度領域に分割し、前記複数の被写体領域のうち、前記分割した各輝度領域に対応する１つの被写体領域の代表輝度値に基づいて、前記輝度領域ごとに第１のゲインを算出する算出手段と、前記複数の被写体領域のうち、前記輝度領域ごとに、対応する前記１つの被写体領域の輝度の分布と、当該輝度領域以外の少なくとも１つの輝度領域に対応する少なくとも１つの別の被写体領域の輝度の分布とに基づいて、前記第１のゲインを補正して、前記輝度領域ごとに第２のゲインを求める補正手段と、前記第２のゲインを用いて、前記画像の輝度を変換する変換手段とを有する。